(57)【要約】【課題】オレンジバケットの爪部と基礎捨石等との接触等によって発生する不快な騒音を低減させるオレンジバケット用の防音装置を提供する。【解決手段】オレンジバケットＸが開閉自在な状態でその全体を覆うように装着固定されるオレンジバケット用の防音装置を、上面枠体２の内輪部と外輪部との間を覆う上面防音シートと、一端が上面枠体２の外輪部に等間隔で取り付けられている同じ長さの上部チェーン部４と、上部チェーン部４の他端が取り付けられた中間環体５と、上面枠体２の外輪部と中間環体５との間で筒状に形成されている可撓性を有する側方上部防音シート６と、一端が中間環体５に等間隔で取り付けられている同じ長さの下部チェーン部７と、下部チェーン部７の他端が取り付けられた下方環体８と、中間環体５と下方環体８との間で筒状に形成されている可撓性を有する側方下部防音シート９とから構成させる。【選択図】図１
2015098672.tif 000002
【特許請求の範囲】
【請求項１】
下端全体が開口し上端面中央にオレンジバケット(Ｘ)の上部が固定される中空筒状を成していて、オレンジバケット(Ｘ)が開閉自在な状態でその全体を覆うように装着固定されるオレンジバケット用の防音装置であって、
リング状の内輪部(2a)と外輪部(2b)とが同芯状に配された状態で、該内輪部(2a)と該外輪部(2b)との間が放射状に均等に配された連結棒(2c)で連結されていて、該内輪部(2a)内がオレンジバケット(Ｘ)の上部が固定される装着口(１)となる上面枠体(２)と、
該上面枠体(２)の該内輪部(2a)と該外輪部(2b)との間を覆うように装着された上面防音シート(３)と、
一端が該上面枠体(２)の外輪部(2b)に等間隔で取り付けられている同じ長さの複数の上部チェーン部(４)と、
該上面枠体(２)の外輪部(2b)と同径又はより径の大きなリング状をなし、該上部チェーン部(４)の他端が等間隔に取り付けられて該上面枠体(２)と平行となるように吊り下げられた中間環体(５)と、
上端が該上面枠体(２)の外輪部(2b)に、下端が該中間環体(５)にそれぞれ固定されていて、該上面枠体(２)の外輪部(2b)と該中間環体(５)との間で筒状に形成されている可撓性を有する側方上部防音シート(６)と、
一端が該中間環体(５)に等間隔で取り付けられている同じ長さの複数の下部チェーン部(７)と、
該中間環体(５)と同径のリング状をなし該下部チェーン部(７)の他端が等間隔に取り付けられて該中間環体(５)と平行となるように吊り下げられた下方環体(８)と、
上端が該中間環体(５)に、下端が該下方環体(８)にそれぞれ固定されていて、該中間環体(５)と該下方環体(８)との間で筒状に形成されている可撓性を有する側方下部防音シート(９)とから構成されていることを特徴とするオレンジバケット用の防音装置。
【請求項２】
側方上部防音シート(６)の中間部が上部チェーン部(４)に固定されており、側方下部防音シート(９)の中間部が下部チェーン部(７)に固定されている請求項１に記載のオレンジバケット用の防音装置。
【請求項３】
側方上部防音シート(６)が隣接する上部チェーン部(４)間毎に固定される短冊状である請求項２に記載のオレンジバケット用の防音装置。
【請求項４】
側方下部防音シート(９)が隣接する下部チェーン部(７)間毎に固定される短冊状である請求項２又は３に記載のオレンジバケット用の防音装置。
【発明の詳細な説明】
【技術分野】
【０００１】
本発明は、基礎捨石や被覆石をオレンジバケットで掴んで敷設場所に投入する際に、オレンジバケットの爪部と基礎捨石等との接触や、投入された基礎捨石等同士の接触による不快な騒音を低減させるオレンジバケット用の防音装置に関するものである。
【背景技術】
【０００２】
基礎捨石や被覆石をオレンジバケットで掴む際に、金属製のオレンジバケットの爪部と、基礎捨石等の石材との間で大きな接触音が生じることがしばしばある。また基礎捨石等の石材をオレンジバケットから離して落下させて敷設場所に投入する場合には、投入された基礎捨石等の石材同士が激しくぶつかり大きな接触音がすることがある。
【０００３】
特に、金属製のオレンジバケットの爪部と、基礎捨石等の石材との間で生じる大きな接触音は、人が非常に不快に感じる高周波の音を多く含むため、敷設作業に支障を来たすおそれがあるだけでなく、敷設場所によっては周囲に対して騒音対策を施す必要があり、例えば敷設場所の周囲を防音壁等で囲む等の非常に大掛かりな設備が必要となる。
【０００４】
このようなバケットの騒音問題としては、引き上げるバケットとバケットの開閉時に必要となるクラウンとが衝突する際に発生する金属音を抑えるために、バケットに固定された連結部材が嵌合する嵌合部と、前記連結部材との嵌合を保持する保持部材と、前記バケットと接触することによってスライドして前記保持部材を保持状態とするスライド部材とを具えたバケット吊り装置において、前記スライド部材における前記バケットとの接触面に第１防音部材を装着したことを特徴とするバケット吊り装置がある（例えば特許文献１参照。）。
【０００５】
このバケット吊り装置は、バケットの吊り装置の金属製の部材同士（バケットとクラウン）が接触することによって発生する衝突音を低減させるためのものであり、クラウンに第１防音部材（合成樹脂や硬質ゴム等）を装着して金属製の部材同士（バケットとクラウン）が直接接触することを防止し衝突音を低減させるものである。
【０００６】
このバケット吊り装置は、部材同士（バケットとクラウン）の接触による接触音の低減に関するものであるため、オレンジバケットの金属製の爪部と石材との間で発生する接触音の低減とは異なるものの、このバケット吊り装置と同様に合成樹脂や硬質ゴム等をオレンジバケットの金属製の爪部に取り付け、オレンジバケットの金属製の爪部と石材とが直接接触することを防止してその衝突音を低減させることも考えられる。
【０００７】
しかしながら、先端が尖ったオレンジバケットの金属製の爪部に合成樹脂や硬質ゴム等を取り付けても、石材を掴む際に簡単に破損して用をなさないため、前述のバケット吊り装置のように、単に合成樹脂や硬質ゴム等を取り付けただけでは衝突音を低減させることは難しいのである。
【先行技術文献】
【特許文献】
【０００８】
【特許文献１】特開平１０−２８０８５９号公報
【発明の概要】
【発明が解決しようとする課題】
【０００９】
本発明は前記の問題に鑑み、基礎捨石や被覆石をオレンジバケットで掴んで敷設場所に投入する際に、オレンジバケットの爪部と基礎捨石等との接触等によって不快な騒音を低減させるオレンジバケット用の防音装置を提供することを課題とする。
【課題を解決するための手段】
【００１０】
本発明者らは前記課題を解決すべく鋭意検討を重ねた結果、下端全体が開口し上端面中央にオレンジバケットの上部が固定される中空筒状を成していて、オレンジバケットが開閉自在な状態でその全体を覆うように装着固定されるオレンジバケット用の防音装置を用いれば、オレンジバケットと防音装置とを一体とすることで、オレンジバケットと石材等による騒音を確実に遮断することができると共に、どのような敷設場所であっても簡便に使用することができ、また金属製の筒状物等でオレンジバケットを囲うと、オレンジバケットで石材等を掴む際にその金属製の筒状物が石材等にあたって石材等を掴むことができなかったり、金属製の筒状物等が衝突した石材等によって破損するなどの問題が生じるが、オレンジバケット用の防音装置を、リング状の内輪部と外輪部とが同芯状に配された状態で、内輪部と外輪部との間が放射状に均等に配された連結棒で連結されていて、内輪部内がオレンジバケットの上部が固定される装着口となる上面枠体と、上面枠体の内輪部と外輪部との間を覆うように装着された上面防音シートと、一端が上面枠体の外輪部に等間隔で取り付けられている同じ長さの複数の上部チェーン部と、上面枠体の外輪部と同径又はより径の大きなリング状をなし、上部チェーン部の他端が等間隔に取り付けられて上面枠体と平行となるように吊り下げられた中間環体と、上端が上面枠体の外輪部に、下端が中間環体にそれぞれ固定されていて、上面枠体の外輪部と中間環体との間で筒状に形成されている可撓性を有する側方上部防音シートと、一端が中間環体に等間隔で取り付けられている同じ長さの複数の下部チェーン部と、中間環体と同径のリング状をなし下部チェーン部の他端が等間隔に取り付けられて中間環体と平行となるように吊り下げられた下方環体と、上端が中間環体に、下端が下方環体ににそれぞれ固定されていて、中間環体と下方環体との間で筒状に形成されている可撓性を有する側方下部防音シートとから構成させれば、防音装置の側方に石材や風等によって力が加わった場合には、各チェーン部がたわみ可撓性を有する各防音シートが自在に変形し、また防音装置の下方側に石材等があたった場合も各チェーン部がたわみ、各防音シートは上方へと押し上げられることによって、石材等との接触により受ける力を逃がし防音装置の破損等を防ぐことができると共に、石材等との接触がなくなると自重により簡単にもとの形状に戻すことができ、更には防音シートやチェーン部等のみから構成されていることから構造が簡単で安価に構成させることができることを究明して本発明を完成させたのである。
【００１１】
即ち本発明は、下端全体が開口し上端面中央にオレンジバケットの上部が固定される形成された中空筒状を成していて、オレンジバケットが開閉自在な状態でその全体を覆うように装着固定されるオレンジバケット用の防音装置であって、リング状の内輪部と外輪部とが同芯状に配された状態で、内輪部と外輪部との間が放射状に均等に配された連結棒で連結されていて、内輪部内がオレンジバケットの上部が固定される装着口となる上面枠体と、上面枠体の内輪部と外輪部との間を覆うように装着された上面防音シートと、一端が上面枠体の外輪部に等間隔で取り付けられている同じ長さの複数の上部チェーン部と、上面枠体の外輪部と同径又はより径の大きなリング状をなし、上部チェーン部の他端が等間隔に取り付けられて上面枠体と平行となるように吊り下げられた中間環体と、
上端が上面枠体の外輪部に、下端が中間環体にそれぞれ固定されていて、上面枠体の外輪部と中間環体との間で筒状に形成されている可撓性を有する側方上部防音シートと、一端が中間環体に等間隔で取り付けられている同じ長さの複数の下部チェーン部と、中間環体と同径のリング状をなし下部チェーン部の他端が等間隔に取り付けられて中間環体と平行となるように吊り下げられた下方環体と、上端が中間環体に、下端が下方環体にそれぞれ固定されていて、中間環体と下方環体との間で筒状に形成されている可撓性を有する側方下部防音シートとから構成されていることを特徴とするオレンジバケット用の防音装置である。
【００１２】
また、側方上部防音シートの中間部を上部チェーン部に固定し、側方下部防音シートの中間部を下部チェーン部に固定すれば、各防音シートにおいて各チェーン部間毎に四周が固定されるので各防音シートが形状を維持し易く、また本発明に係るオレンジバケット用の防音装置が外部から力を受けた場合には各防音シートが各チェーン部と連動してたわみ、外部からの力が除かれると各チェーン部と連動してスムーズに各防音シートが形状を回復できて好ましく、更に側方上部防音シートが隣接する上部チェーン部間毎に固定される短冊状である場合や、側方下部防音シートが隣接する下部チェーン部間毎に固定される短冊状である場合には、巨大な防音シートを作製する必要がなく、また各防音シートに破損等が生じた場合にはその短冊状の防音シートのみを交換すればよいので補修管理が容易にできて好ましいのである。
【発明の効果】
【００１３】
本発明に係るオレンジバケット用の防音装置は、下端全体が開口し上端面中央にオレンジバケットの上部が固定される中空筒状を成していて、オレンジバケットが開閉自在な状態でその全体を覆うように装着固定されるオレンジバケット用の防音装置であるから、オレンジバケットと防音装置とを一体とすることで、オレンジバケットと石材等による騒音を確実に遮断することができると共に、どのような敷設場所であっても簡便に使用することができ、また金属製の筒状物等でオレンジバケットを囲うと、オレンジバケットで石材等を掴む際にその金属製の筒状物が石材等にあって作業が困難となったり、簡単に破損するなどの問題が生じるが、このオレンジバケット用の防音装置を、リング状の内輪部と外輪部とが同芯状に配された状態で、内輪部と外輪部との間が放射状に均等に配された連結棒で連結されていて、内輪部内がオレンジバケットの上部が固定される装着口となる上面枠体と、上面枠体の内輪部と外輪部との間を覆うように装着された上面防音シートと、一端が上面枠体の外輪部に等間隔で取り付けられている同じ長さの複数の上部チェーン部と、上面枠体の外輪部と同径又はより径の大きなリング状をなし、上部チェーン部の他端が等間隔に取り付けられて上面枠体と平行となるように吊り下げられた中間環体と、上端が上面枠体の外輪部に、下端が中間環体にそれぞれ固定されていて、上面枠体の外輪部と中間環体との間で筒状に形成されている可撓性を有する側方上部防音シートと、一端が中間環体に等間隔で取り付けられている同じ長さの複数の下部チェーン部と、中間環体と同径のリング状をなし下部チェーン部の他端が等間隔に取り付けられて中間環体と平行となるように吊り下げられた下方環体と、上端が中間環体に、下端が下方環体にそれぞれ固定されていて、中間環体と下方環体との間で筒状に形成されている可撓性を有する側方下部防音シートとから構成されているから、防音装置の側方に石材や風等によって力が加わった場合には、各チェーン部がたわみ可撓性を有する各防音シートが自在に変形し、また防音装置の下方側に石材等があたった場合も各チェーンがたわみ、各防音シートは上方へと押し上げられることによって、石材等との接触により受ける力を逃がし防音装置の破損等を防ぐことができると共に、石材等との接触がなくなると自重により簡単にもとの形状に戻すことができ、更には防音シートやチェーン部等のみから構成されていることから構造が簡単で安価に構成させることができるのである。
【００１４】
また、側方上部防音シートの中間部が上部チェーン部に固定されており、側方下部防音シートの中間部が下部チェーン部に固定されている態様では、各防音シートにおいて各チェーン部間毎に四周が固定されるので各防音シートが形状を維持し易く、また本発明に係るオレンジバケット用の防音装置が外部から力を受けた場合には各防音シートが各チェーン部と連動してたわみ、外部からの力が除かれると各チェーン部と連動してスムーズに各防音シートが形状を回復できて好ましく、更に側方上部防音シートが隣接する上部チェーン部間毎に固定される短冊状である態様や、側方下部防音シートが隣接する下部チェーン部間毎に固定される短冊状である態様では、巨大な防音シートを作製する必要がなく、また各防音シートに破損等が生じた場合にはその短冊状の防音シートのみを交換すればよいので補修管理が容易にできて好ましいのである。
【図面の簡単な説明】
【００１５】
【図１】本発明に係るオレンジバケット用の防音装置の一実施例を示す正面図である。
【図２】図１のオレンジバケット用の防音装置内部でオレンジバケットが開いた状態を示す正面図である。
【図３】図１のオレンジバケット用の防音装置のみの平面図である。
【図４】図１のオレンジバケット用の防音装置を実際に使用している様子を示す斜視説明図である。
【図５】本発明に係るオレンジバケット用の防音装置の他の実施例であり、防音装置内部のオレンジバケットによって石材を掴む様子を示す正面説明図である。
【図６】図５の状態から石材を水中に投下する様子を示す正面説明図である。
【発明を実施するための形態】
【００１６】
以下、図面を用いて本発明に係るオレンジバケット用の防音装置について詳細に説明する。
【００１７】
Ｘはオレンジバケットであり、本発明に係るオレンジバケット用の防音装置は、下端全体が開口し上端面中央にオレンジバケットＸの上部が固定される中空筒状を成していて、オレンジバケットＸが開閉自在な状態でその全体を覆うように装着固定される。
【００１８】
２はリング状の内輪部2aと外輪部2bとが同芯状に配された状態で、内輪部2aと外輪部2bとの間が放射状に均等に配された連結棒2cで連結されていて、内輪部2a内がオレンジバケットＸの上部が固定される装着口１となる上面枠体である。この上面枠体２は、オレンジバケットＸに固定され、後述する各チェーン部４，７や各防音シート３，６等が吊り下げられるため、鋼材等によって十分な強度や剛性を有するように構成させる必要がある。
【００１９】
３は上面枠体２の内輪部2aと外輪部2bとの間を覆うように装着された上面防音シートであり、上方へ向けて発せられた騒音を遮断する効果がある。
【００２０】
４は一端が上面枠体２の外輪部2bに等間隔で取り付けられている同じ長さの複数の上部チェーン部である。
【００２１】
５は上面枠体２の外輪部2bと同径又はより径の大きなリング状をなし、上部チェーン部４の他端が等間隔に取り付けられて上面枠体２と平行となるように吊り下げられた中間環体である。
【００２２】
６は上端が上面枠体２の外輪部2bに、下端が中間環体５にそれぞれ固定されていて、上面枠体２の外輪部2bと中間環体５との間で筒状に形成されている可撓性を有する側方上部防音シートである。
【００２３】
この側方上部防音シート６は、中間環体５と上面枠体２の外輪部2bとが同径の場合には、図５〜６の如く全体が円筒状に、中間環体５の径が上面枠体２の外輪部2bの径より大きい場合には、図１〜４の如く截頭円錐の側面のような形状となって、オレンジバケットＸの側方を覆い防音する。なお側方上部防音シート６の形状は、使用するオレンジバケットＸの形状に応じて選択すればよい。
【００２４】
７は一端が中間環体５に等間隔で取り付けられている同じ長さの複数の下部チェーン部である。
【００２５】
８は中間環体５と同径のリング状をなし下部チェーン部７の他端が等間隔に取り付けられて中間環体５と平行となるように吊り下げられた下方環体である。
【００２６】
９は上端が中間環体５に、下端が下方環体８にそれぞれ固定されていて、中間環体５と下方環体８との間で筒状に形成されている可撓性を有する側方下部防音シートである。
【００２７】
本発明に係るオレンジバケット用の防音装置を実際に使用するには、先ずオレンジバケットＸに本発明に係るオレンジバケット用の防音装置を装着する必要がある。そのため、先ずオレンジバケットＸと上面枠体２とを固定する必要がある。その際、ボルトやナット等を使用して着脱自在に固定してもよいが、防音装置は重量も大きくがたつきやすく危険であるため、溶接等によりオレンジバケットＸの上部を上面枠体２の装着口１に固定してもよい。
【００２８】
そしてこの上面枠体２には、オレンジバケットＸを固定する装着口１を除いて上面防音シート３を取り付けることによって、上方へ向けて発せられた騒音を遮断することができるのである。
【００２９】
次に、上面枠体２の外輪部2bと中間環体５との間に、上部チェーン部４と側方上部防音シート６とを垂下するように取り付け、側方上部防音シート６により、側方へ向けて発せられた騒音が遮断される。
【００３０】
その際に可撓性を有する側方上部防音シート６だけを、上面枠体２の外輪部2bから垂下させただけでは、側方上部防音シート６の筒状の形状を維持させることが難しいため、側方上部防音シート６を下方から引っ張る錘ともなる中間環体５を取り付けると共に、骨組みとして上部チェーン部４を上面枠体２の外輪部2bと中間環体５との間に取り付ける。
【００３１】
次に本発明に係るオレンジバケット用の防音装置では、石材を掴み取る際に下端部分が石材と接触して破損し易い。そこで本発明に係るオレンジバケット用の防音装置の下方部分を、下部チェーン部７と下方環体８と側方下部防音シート９とから構成させれば、石材と接触した際に、オレンジバケット用の防音装置の下方部分をより柔軟に変形させ易くなり、また破損した場合には、この下方部分のみを交換・修理するだけでよいので、施工作業が迅速にできるのである。
【００３２】
なお側方上部防音シート６の中間部が上部チェーン部４に固定されていて、側方下部防音シート９の中間部が下部チェーン部７に固定されていれば、各防音シート６，９において各チェーン部間４，４及び７，７毎に四周が固定されるので各防音シート６，９が形状を維持し易く、また本発明に係るオレンジバケット用の防音装置が外部から力を受けた場合には各防音シート６，９が各チェーン部４，７と連動してたわみ、外部からの力が除かれると各チェーン部４，７と連動してスムーズに各防音シート６，９が形状を回復できて好ましいのである。
【００３３】
このように本発明に係るオレンジバケット用の防音装置を構成させることにより、オレンジバケットと防音装置とを一体とすることができ、その結果、オレンジバケットと石材等による騒音を確実に遮断することができると共に、どのような敷設場所であっても簡便に使用することができ、また変形の自由度が高いので破損しがたく、更には防音シートやチェーン部等のみから構成されていることから構造が簡単で安価に構成させることができるのである。
【符号の説明】
【００３４】
１    装着口
２    上面枠体
2a    内輪部
2b    外輪部
2c    連結棒
３    上面防音シート
４    上部チェーン部
５    中間環体
６    側方上部防音シート
７    下部チェーン部
８    下方環体
９    側方下部防音シート
Ｘ    オレンジバケット
【図１】
2015098672.tif 000003
【図２】
2015098672.tif 000004
【図３】
2015098672.tif 000005
【図４】
2015098672.tif 000006
【図５】
2015098672.tif 000007
【図６】
2015098672.tif 000008